(57)【要約】本開示に係る指輪は、１以上の宝石及び、又は他の装飾品を有する第１リングを備える。第２リングは、第１リングと嵌合し囲むためにヒンジ式に取り付けられてもよく、第１リングと第２リングの組み合わせは、単一の指輪の形を表している。第２リングは１以上の宝石及び、又は他の装飾品を備えてもよく、南北方向又は東西方向のいずれかにヒンジ式に取り付けられてもよい。第２リングの一部は、更に第１リングを固定するために互いに又は第１リングと嵌合することができる。
2008536543.tif 000002
【特許請求の範囲】
【請求項１】
装飾指輪であって、
全体的に環状の第１リングと、
前記第１リングと嵌合するように定寸された溝を間に形成するように、回動可能に第２部位に接続された第１部位を有する全体的に環状の第２リングと、
を備えたことを特徴とする装飾指輪。
【請求項２】
前記第２リングは更に、
全体的に環状の第１部位と、
全体的に環状の第２部位と、
前記第１リングと嵌合するように定寸された溝を間に形成するように、前記第１部位を前記第２部位に接続するヒンジと、
を備えたことを特徴とする請求項１に記載の装飾指輪。
【請求項３】
前記第２リングを前記第１リングに嵌合する１以上の嵌合要素を更に備えたことを特徴とする請求項２に記載の装飾指輪。
【請求項４】
前記第２リングの前記第１部位を前記第２リングの前記第２部位に嵌合する１以上の嵌合要素を更に備えたことを特徴とする請求項２に記載の装飾指輪。
【請求項５】
前記全体的に環状の第２リングが更に、
前記第１リングの一部に嵌合するように定寸された内部溝を有する弓形第１部位と、
前記第１リングの一部に嵌合するように定寸された内部溝を有する弓形第２部位と、
前記溝が前記第１リングに嵌合可能なように前記弓形第１部位を前記弓形第２部位に接続するヒンジと、
を備えたことを特徴とする請求項１に記載の装飾指輪。
【請求項６】
前記第２リングを前記第１リングに嵌合する１以上の嵌合要素を更に備えたことを特徴とする請求項５に記載の装飾指輪。
【請求項７】
前記第２リングの前記第１部位を前記第２リングの前記第２部位に嵌合する１以上の嵌合要素を更に備えたことを特徴とする請求項５に記載の装飾指輪。
【発明の詳細な説明】
【技術分野】
【０００１】
イレーネ・クリオファスは、以下で詳述する明細書の中の新規で有用な装飾指輪及び指輪ガード（ring  guard）を発明した。本出願は、2005年3月12日に出願された同時係属の米国仮特許出願第60/661,522号、及び2005年7月8日に出願された同時係属の米国仮特許出願第60/697,678号の優先権を主張する。
【０００２】
本発明は、一般的には装飾指輪の分野に関し、より具体的には隠し(nested)指輪とガードのセットに関する。
【背景技術】
【０００３】
女性の結婚指輪のような従来の装飾指輪には、１以上の指輪ガードを被着することができる。婚約指輪と結婚指輪ガードのような従来の結婚指輪のセットは、指輪形状のずれ、又は宝石、その他の装飾品のずれによって、嵌めるのに不便であり及び、又は不愉快でもあろう。
【発明の開示】
【発明が解決しようとする課題】
【０００４】
必要とされるものは、ずれ又は不愉快がなく嵌められるように定寸され適合され、及び単一の指輪の外観を表す指輪及び指輪ガードである。
【発明の概要】
【０００５】
本開示に係る指輪は、１以上の宝石及び、又は他の装飾品を有する第１リングを備えている。第２リングは、第１リングと嵌合し囲むためにヒンジ式に取り付けられており、第１リングと第２リングの組み合わせは、単一の指輪の形を表している。第２リングは１以上の宝石及び、又は他の装飾品を備えてもよく、南北方向又は東西方向のいずれかにヒンジ式に取り付けられてもよい。第２リングの一部は、更に第１リングを固定するために互いに又は第１リングと嵌合することができる。
【０００６】
第１実施形態において本開示は、１つの第１横断面形状と、第２リングと嵌合するための２以上の嵌合要素を有する第１リングを含んでいる。第１リングは、単独で嵌められてもよく、第２リングと組み合わされてもよい。同様に、第２リングは、単独で嵌められてもよく、第１リングと組み合わされてもよい。
【０００７】
本開示の他の形態において、第２リングは第１リングに適合し嵌合するために横断面浮彫り域を備えている。本開示に係る指輪において、第２リングによって嵌合され囲まれた第１リングは、側面又は端部から見ると単一の指輪のように見える。
【０００８】
代案構造において、指輪は上述のように第１リングを備え、第２リングはヒンジ式に取り付けられ、又は他方で共に接合される２以上の小環から構成されることで、しっかりと第１リングと嵌合する。第１リングは、前記小環を分離することによってのみ外すことができる。
【０００９】
他の代案構造において第２リングは、第１リングが第２リング内に嵌合された時に第１リングの１以上の領域を見ることができるようにする１以上の開口を備えてもよい。
【００１０】
これらの及び他の特徴や利点は、以下の詳細な説明や添付図面から更に明らかになるであろう。図面や説明の中で、数字は本開示の種々の特徴を表示し、同じ数字は図面と説明を通じて同じ特徴を参照している。
【発明を実施するための最良の形態】
【００１１】
図１を参照すると、指輪セット１０は第２リング１４により囲まれた第１リング１２を備えている。第１リング１２及び第２リング１４は、全体的に環状形状として図示されている。第１及び第２リングの説明図は、明瞭にするために追加の装飾品を含まないと理解すべきである。第２リング１４は、ヒンジ１６を介して第２部位１４”に接合された第１部位１４’からなる。第２リング１４のような第２リングは、第１リング１２のような第１リングに適合、係合及び包むために定寸された浮彫り域（relief  area）１８のような溝、開口部、嵌合部、又は浮彫り域を備えている。浮彫り域１８は必要に応じて、第２リング１４の第１リング部位１４’の中にある第１浮彫り部１８’及び第２リング１４の第２リング部位１４”の中にある第２浮彫り部１８”のように第２リングの一部の間に配置されてもよい。
【００１２】
指輪セット１０は更に、東西方向に合わせられたヒンジ１６を備えている。ヒンジ１６は、第１リング部１４’と第２リング部１４”の間を嵌合する軸になる部分を有している。ヒンジ１６は、第２リング１４の輪郭の内側に配設されてもよく、又は外側に配設されてもよい。東西方向に合わせられたヒンジは、第２リングと同じ面内に、又は第２リングの面に平行する面内に、ヒンジ軸を有している。南北方向に合わせされたヒンジは、第２リングの面と垂直にヒンジ軸を有している。
【００１３】
図２及び３を参照すると、第２リング１４の第１及び第２部位１４’と１４”は、図示のようにヒンジ１６周りに回動し開口することができる。第１及び第２部位１４’と１４”は、第２リング１４内で第１リング１２を更に固定するために、互いに係合可能な１以上の装飾要素を有することもできる。
【００１４】
図４を参照すると、指輪セット１０の横断面内で第２リング１４の浮彫り域１８が第１リング１２と嵌合することで、第１リング１２の内平面２８が第２リング１４の内平面３０と一直線に合う。
【００１５】
図５を参照すると、代案構造において第２リング２２は、南北軸に沿って第１リングと嵌合し囲むようにヒンジ式に取り付けられている。
【００１６】
図６を参照すると、指輪システム３２の横断面は、第２リング２２の浮彫り域１８内で嵌合し囲まれた第１リング１２を図解している。
【００１７】
図７を参照すると、指輪システム３２の一部の詳細図において、嵌合要素２４のように適切な嵌合要素が、第２リング２２の第１部位２２’のように第２リングの一部の不可欠な要素として形成されてもよい。嵌合要素２４のような嵌合要素は、第１リング１２の嵌合ソケット２６のように適切に一致するソケットと嵌合する。嵌合要素のいずれの適切な連結も、第１リングを第２リングに固定するために用いることができる。
【００１８】
図８及び図９を参照すると、指輪セット４０は、第１リング４１の第２領域４６のような第２領域を見ることを可能にする複数の開口４４を有する第２リング４２を備えている。第２リング４２は東西方向の開口を可能にするヒンジ４８のようなヒンジを備えてもよい。代案としてヒンジ４８は、第２リング４２を南北方向に沿って開口可能にするために方向付けられてもよい。
【００１９】
図１０及び１１を参照すると、代案の指輪セット５０は小環（ringlet）５２によって嵌合された第１リング５６を備えてもよい。小環５２はヒンジ５８のような１以上のヒンジを使用して、連結されてもよい。第１リング５６は、留め具５４のような１以上の嵌合要素によって、小環５２と嵌合する又は小環５２によって嵌合されてもよい。
【００２０】
前述のように、本発明品及び方法の好適な実施形態はそれらが改良された周辺環境に関して詳述されているが、一方でそれらは本発明の原理の単なる実例となる。他の実施形態及び構造を、本発明の精神や添付したクレームの範囲から逸脱することなく考案することができる。
【図面の簡単な説明】
【００２１】
【図１】本開示に係る東西式指輪セットの側面図。
【図２】図１の指輪セットの端面図。
【図３】ヒンジで第２リングを開いた図１の指輪セットの端面図。
【図４】４ー４線上でヒンジを横切って取った図１の指輪セットの横断面図。
【図５】本開示に係る南北式指輪セットの側面図。
【図６】６ー６線上で取った図５の指輪セットの横断面図。
【図７】図５の指輪セットの７ー７領域の詳細図。
【図８】本開示に係る代案の東西式指輪セットの側面図。
【図９】図８の指輪セットの端面図。
【図１０】本開示に係る他の代案の東西式指輪セットの側面図。
【図１１】図１０の指輪セットの端面図。
【符号の説明】
【００２２】
１０,４０  指輪セット
１２,４１,５６  第１リング
１４,２２,４２  第２リング
１４’,２２’  第１部位
１４”,２２”  第２部位
１６,４８,５８  ヒンジ
２４  嵌合要素
【図１】
2008536543.tif 000003
【図２】
2008536543.tif 000004
【図３】
2008536543.tif 000005
【図４】
2008536543.tif 000006
【図５】
2008536543.tif 000007
【図６】
2008536543.tif 000008
【図７】
2008536543.tif 000009
【図８】
2008536543.tif 000010
【図９】
2008536543.tif 000011
【図１０】
2008536543.tif 000012
【図１１】
2008536543.tif 000013